(57)【要約】【課題】必要に応じて引戸を面倒なく簡単に全開位置で止める一方、いったん引き止めた引戸を閉じるときは、その閉止規制状態が無理なく簡単に解除される引戸用簡易ストッパを提供する。【解決手段】  引戸用簡易ストッパＡは、握持型の取手１３に回動可能に係合させるフック部１５ａを有するアーム１５を、マグネット２０を保持した磁石ホルダ２５に着脱自在に連結してなる。そして、引戸Ｄを全開したときに、回動させてマグネット２０を鉄製戸枠Ｗの戸尻側縦枠材１０に対向させると、その縦枠材にマグネットが磁気的に吸着して引戸の閉止動作を規制し、引戸を全開位置のまま保持する。【選択図】          図１
2005163292.tif 000002
【特許請求の範囲】
【請求項１】
握持型の取手を握って引戸を開いた後、手を離すと引戸をスライドさせて開口部を自動的に閉止する引戸構造体に使用する引戸用簡易ストッパにおいて、
前記取手に回動可能に係合させるフック部を有するアームと、該アームの下端に連結して吊持したマグネットとを備え、前記引戸を全開したとき、前記アームを回動させて前記マグネットを戸枠の戸尻側縦枠材に対向させると、その縦枠材に前記マグネットが磁気的に吸着して前記引戸の閉止動作を規制する構成としてなることを特徴とする、引戸用簡易ストッパ。
【請求項２】
前記マグネットを磁石ホルダで保持し、該磁石ホルダに、前記アーム下端を着脱自在に係合させる複数の係合部を並設し、前記アームと前記磁石ホルダの連結位置を、引戸全開時における前記取手と前記戸尻側縦枠材間の距離に応じて多段に調整可能にしてなることを特徴とする、請求項１に記載の引戸用簡易ストッパ。
【請求項３】
前記アームを略Ｕ形状の弾性線材で形成し、そのアーム両端に、前記磁石ホルダの前記係合部と係合する係合凸部を設けてなることを特徴とする、請求項２に記載の引戸用簡易ストッパ。
【発明の詳細な説明】
【技術分野】
【０００１】
本発明は、取手を握って引戸を開いた後、手を離すと引戸をスライドさせて自動的に閉止する自閉機構を備えた引戸構造体に適用され、特に、その引戸構造体において、引戸を全開したときに、必要に応じ、そのまま引戸を引き止めるのに好適な引戸用簡易ストッパに関する。
【背景技術】
【０００２】
一般に、病院や福祉施設などでは、引戸を開放状態にしておくことが多いため、引戸構造体には、引戸が全開されると、引戸の戸尻側に固定の被フック具を戸当り側に固定のキャッチに係合させて引戸を引き止める全開ストッパ装置が備え付けられている。
【０００３】
一方で、病院や福祉施設などでも、トイレやＩＣＵなどの出入口では、その機能上、引戸を開くと、すぐに閉まるようにすることが望ましいので、上記全開ストッパ装置を備え付けない引戸構造にしている。しかも、そこでの引戸構造体は、引戸を、例えば傾斜レールを介して戸枠に吊設し、取手を握って引戸を開いた後、手を離すと傾斜レールの傾斜に沿って引戸をスライドさせて自動的に閉止する自閉機構を備えた構造にしている。
【０００４】
しかし、斯かる自閉機構で引戸を自閉する出入口であっても、たとえばベットを通過させたりする場合など、稀に、いっとき引戸を全開位置で止めて保持したい場合がある。そのような場合、従来は、簡易ストッパとして、例えば紐を使い、引戸の取手と近くの手摺り等との間を結んで引戸を全開位置で止めている。また、図５に示すように、例えば楔状のゴム片１を使い、その先端を引戸２と床面３との間に食い込ませて引戸２を全開位置で止めるようにしている。
【発明の開示】
【発明が解決しようとする課題】
【０００５】
ところが、従来、引戸用簡易ストッパとして、上述のように紐を使用する場合は、引戸２を全開位置で止めるときに、その都度、いちいち結んだり解いたりする作業を伴うために非常に面倒であり、また、ゴム片１を使用する場合でも、いちいち床面３側に屈んだ無理な体勢をとって食い込ませたり引き抜いたりする動作を伴うために、容易でないという課題があった。また、従来、引戸２を全開位置に止めた閉止規制状態は、簡易ストッパを外したり解いたりしない限り解除されないため、引戸２が閉止規制状態にあるのに、それに気づかず無理に引戸２を閉じようとしたとき、場合によっては、引戸２が破損するおそれがあるという課題もあった。
【０００６】
そこで、本発明の目的は、必要に応じて、引戸を面倒なく簡単に全開位置で止める一方、いったん引き止めた引戸を閉じるときは、その閉止規制状態が無理なく簡単に解除される引戸用簡易ストッパを提供することにある。
【課題を解決するための手段】
【０００７】
上記した発明の目的を達成すべく、請求項１に記載の発明は、たとえば以下に示す図示実施の形態のとおり、握持型の取手１３を握って引戸Ｄを開いた後、手を離すと引戸Ｄをスライドさせて開口部Ｓを自動的に閉止する引戸構造体Ｂに使用する引戸用簡易ストッパＡにおいて、前記取手１３に回動可能に係合させるフック部１５ａを有するアーム１５と、該アーム１５の下端に連結して吊持したマグネット２０とを備え、前記引戸Ｄを全開したとき、前記アーム１５を回動させて前記マグネット２０を戸枠Ｗの戸尻側縦枠材１０に対向させると、その縦枠材１０に前記マグネット２０が磁気的に吸着して前記引戸Ｄの閉止動作を規制する構成としてなることを特徴とする。
【０００８】
請求項２に記載の発明は、請求項１に記載の引戸用簡易ストッパＡにおいて、たとえば以下に示す図示実施の形態のとおり、前記マグネット２０を磁石ホルダ２５で保持し、該磁石ホルダ２５に、前記アーム下端を着脱自在に係合させる係合穴３０〜３２のような複数の係合部を並設し、前記アーム１５と前記磁石ホルダ２５の連結位置を、引戸全開時における前記取手１３と前記戸尻側縦枠材１０間の距離Ｌに応じて多段に調整可能にしてなることを特徴とする。
【０００９】
請求項３に記載の発明は、請求項２に記載の引戸用簡易ストッパＡにおいて、たとえば以下に示す図示実施の形態のとおり、前記アーム１５を略Ｕ形状の弾性線材で形成し、そのアーム両端に、前記磁石ホルダ２５の前記係合部と係合する係合凸部１５ｂを設けてなることを特徴とする。
【発明の効果】
【００１０】
請求項１に記載の発明によれば、（１）引戸を開いた後に、いっとき全開のまま保持したいときは、予め操作しやすい高さ位置に設置された取手に対し、簡易ストッパを回動してマグネットを戸枠の戸尻側縦枠材に対向させると、マグネットの磁力で縦枠材に吸着して引戸の閉止動作を規制し、そのまま全開位置に保持することができる。その結果、従来のごとく、いちいち紐を結んだり解いたりする面倒な作業がなく、しかも、低く屈んだ無理な体勢をとらなくても、簡単に手間なく引戸を全開位置に保持することができる。（２）一方、引戸を全開位置で保持する必要を終えたときは、従来のごとく簡易ストッパを外したり解いたりすることなく、取手を持って引戸をマグネットの磁力に抗して閉方向へ引き出せば、それだけで簡易ストッパが縦枠材から簡単に外れて閉止規制状態が解除され、そのまま引戸を無理なくスライドさせて自動的に閉止することができる。その結果、引戸が閉止規制状態にあるときに、それに気づかず引戸を閉じたとしても、従来の如く引戸が破損するような不具合を発生させることなく、引戸をスムーズに閉止することができる。（３）常にアームにおいて簡易ストッパは取手に吊り下げて付設しているため、紛失することがなく、使用時に、無くした簡易ストッパを慌てて探すような弊害の発生を未然に防止することもできる。
【００１１】
加えて、請求項２に記載の発明によれば、引戸簡易ストッパを使用するときに、その長さを、引戸全開時における取手と戸尻側縦枠材間の距離に応じて簡単に調整することができ、その結果、たとえ引戸の取手と戸尻側縦枠材間の距離が異なる各種の引戸構造体であっても、それらに対し共通の引戸用簡易ストッパを使用して引戸を全開位置に保持することができる。
【００１２】
さらに、請求項３に記載の発明によれば、引戸簡易ストッパの長さを、引戸全開時における取手と戸尻側縦枠材間の距離に合わせるとき、アームの係合凸部を係合させる磁石ホルダの係合穴を選択するだけで、簡単に調整することができる。
【発明を実施するための最良の形態】
【００１３】
以下、図面を参照しつつ、本発明の実施の形態について説明する。
【００１４】
図１は、本発明の引戸用簡易ストッパを用いて引戸を全開位置に引き止めた状態で示す引戸構造体の斜視図である。引戸構造体Ｂは、戸枠Ｗに引戸Ｄを組み付けて開口部Ｓの開閉方向へスライド自在に吊設した構造になっている。図示例の戸枠Ｗは、たとえば磁性を有する鉄製枠体で、図中左右の戸尻側および戸先側の縦枠材１０・１１と、縦枠材１０・１１間の天井側横枠材１２とからなる。引戸Ｄは、両板面の戸先寄りに取手１３が付設されている。図示例の取手１３は、ドアハンドル型で、棒状の握持部１３ａと、その上下両端に有する取付軸部１３ｂ・１３ｃとからなる。そして、引戸構造体Ｂは、たとえば、戸枠Ｗの天井側横枠材１２に、図示省略したが、例えば傾斜レールを介して引戸Ｄをスライド自在に組み付け、取手１３の握持部１３ａを握って引戸Ｄを開いた後、手を離すと傾斜レールの傾斜に沿って引戸Ｄを摺動させて自動的に閉止する自閉機構を付設した構造になっている。
【００１５】
斯かる構成の引戸構造体Ｂにおいて、引戸Ｄの取手１３に本発明の引戸用簡易ストッパＡを付設して使用する。図示例の引戸用簡易ストッパＡは、図２に示すように、アーム１５と、マグネット２０と、磁石ホルダ２５とを用いて組み立てられてなる。
【００１６】
アーム１５は、金属製の弾性線材を全体に略Ｕ形状に曲げ成形し、取手１３の取付軸部１３ｃに対応させて円弧状に湾曲したフック部１５ａと、両端に互いに内向きに屈曲した係合凸部１５ｂを設けてなる。マグネット２０は、取付プレート２０ａに矩形ブロック状の磁石本体２０ｂを固着しなる。磁石本体２０ｂとしては、引戸Ｄの重量等を考慮し、たとえば３〜５ｋｇの磁力を有する磁石を使用する。磁石ホルダ２５は、一側を開放して磁石出し入れ口２６をあけた矩形箱状に樹脂で一体成形し、図２中下側の吸着板部２５ａの内側面２７に、磁石本体２０ｂの形状に合わせて嵌め付け凹部２７ａを形成している。一方、嵌め付け凹部２７ａに対し左右の連結板部２５ｂには、それぞれアーム１５の係合凸部１５ｂを係合させる複数の係合穴３０〜３２を設けている。係合穴３０〜３２は、連結板部２５ｂにおいて、各々の長手方向に等間隔に並設することにより、係合凸部１５ｂを係合させる連結位置を多段に選択して調整可能にしている。
【００１７】
斯かる部品構成の引戸用簡易ストッパＡは、嵌め付け凹部２７ａに磁石本体２０ｂを嵌め付けてマグネット２０を磁石ホルダ２５に組み込み、図２中矢示するようにアーム１５の両端側を押し広げて、係合凸部１５ｂを係合穴３０〜３２に差し込んで磁石ホルダ２５にアーム１５を連結することにより組み立ててなる。
【００１８】
上述した構成の引戸用簡易ストッパＡを取手１３に付設するときは、いったんアーム１５を磁石ホルダ２５から外し、そのアーム１５を、フック部１５ａにおいて取手１３の取付軸部１３ｃに回動可能に引っ掛けてから、改めて係合凸部１５ｂを係合穴３０〜３２に係合させて磁石ホルダ２５に連結し、図３に示すように吊り下げる。このとき、アーム１５と磁石ホルダ２５との連結位置は、図１に示した引戸全開時における取手１３と戸尻側縦枠材１０間の距離Ｌに応じて、アーム１５の係合凸部１５ｂを係合させる係合穴３０〜３２のいずれかを選択して調整する。たとえば取手１３と戸尻側縦枠材１０間距離Ｌが比較的短い場合は、図４に示すように、係合凸部１５ｂをマグネット２０に最も近い係合穴３２に係合させてアーム１５を磁石ホルダ２５に連結する。これにより、引戸用簡易ストッパＡの長さを短くし、縦枠材１０の縦框面に対する磁石ホルダ２５の吸着板部２５ａの位置を調節しておく。
【００１９】
さて、上記引戸構造体Ｂにおいて、通常は、取手１３の握持部１３ａを握って引戸Ｄを開き、その後に手を離すと、引戸Ｄは、前記自閉機構の傾斜レールの傾斜に沿ってスライドして自動的に閉止する。一方、この開閉時において、引戸Ｄを開いた後に、いっとき不図示の戸当りに当てて全開させたまま保持したい場合には、図１中鎖線で示す如く取手１３に吊り下げた簡易ストッパＡを使用する。そのときは、取手１３に対し簡易ストッパＡを回動し、マグネット２０を戸枠Ｗの戸尻側縦枠材１０に対向させる。すると、マグネット２０の磁力が働いて磁石ホルダ２５の吸着板部２５ａが縦枠材１０に吸着し、引戸Ｄの閉止動作を規制して全開位置に保持する。しかる後、引戸Ｄを全開位置で保持する必要を終えたときは、取手１３を持って引戸Ｄをマグネット２０の磁力に抗して閉方向へ引き出せば、縦枠材１０から簡易ストッパＡが外れて元の吊り下がり状態に戻る。そして、引戸Ｄは、そのままスライドして自動的に開口部Ｓを閉止することができる。
【００２０】
なお、上述した図示例では、戸枠Ｗが鉄製であったが、たとえば木製など非磁性体からなる場合は、当然、マグネットと対向する位置に、別途、磁性体片を戸尻側の縦枠材に取り付ける構成にすればよい。また、上記図示例では、取手１３は、ドアハンドル型であったが、握持型の取手であれば、上記簡易ストッパのアームを係合できるレバー状やノブ状のような他の取手であってもよい。
【図面の簡単な説明】
【００２１】
【図１】本発明の引戸用簡易ストッパを用いて引戸を全開位置に止めた状態で示す引戸構造体の斜視図である。
【図２】引戸用簡易ストッパの分解斜視図である。
【図３】引戸用簡易ストッパを取手に吊り下げ引戸が閉状態の引戸構造体を示す斜視図である。
【図４】引戸用簡易ストッパの組立斜視図である。
【図５】従来のゴム片型の簡易ストッパを用いて引戸を全開位置で止めた状態で示す引戸構造体の斜視図である。
【符号の説明】
【００２２】
Ａ          引戸用簡易ストッパ
Ｂ          引戸構造体
Ｄ          引戸
Ｗ          戸枠
１０        戸枠の戸尻側縦枠材
１３        取手
１３ａ      取手の握持部
１５        アーム
１５ａ      アームのフック部
１５ｂ      アームの係合凸部
２０        マグネット
２５        磁石ホルダ
２５ｂ      磁石ホルダの係合穴
【図１】
2005163292.tif 000003
【図２】
2005163292.tif 000004
【図３】
2005163292.tif 000005
【図４】
2005163292.tif 000006
【図５】
2005163292.tif 000007